Podtech/llm-jp-corpus-v4-ja_patent huggingface dataset:
【手続補正書】
【提出日】平成23年6月22日(2011.6.22)
【手続補正１】
【補正対象書類名】特許請求の範囲
【補正対象項目名】全文
【補正方法】変更
【補正の内容】
【特許請求の範囲】
【請求項１】
化粧品または栄養補助組成物における痩身有効成分としての、スペルミンおよび／またはスペルミジンを捕捉する硫酸化オリゴ糖を含む調製物の使用。
【請求項２】
前記オリゴ糖が最大２０個のガラクトース単位から成る、請求項１に記載の使用。
【請求項３】
前記硫酸化オリゴ糖の調製物が、多糖を加水分解するステップを含む方法によって得られる、請求項１または２に記載の硫酸化オリゴ糖調製物の使用。
【請求項４】
前記多糖が、硫酸化ガラクタンのファミリー由来の多糖である、請求項３に記載の使用。
【請求項５】
前記硫酸化ガラクタンのファミリー由来の多糖が、カラギーナンのファミリーに属する多糖である、請求項４に記載の使用。
【請求項６】
前記調製物が、存在する前記硫酸化オリゴ糖のうち、２個の糖単位（カラビオースおよびネオカラビオース）に基づく少なくとも１個のオリゴ糖を主に含む、請求項１〜５のいずれかに記載の使用。
【請求項７】
前記調製物が、さらに、４個の糖単位（ネオカラテトラオース）に基づく少なくとも１個のオリゴ糖を含む、請求項６に記載の使用。
【請求項８】
前記硫酸化オリゴ糖の調製物が、組成物全体の１．１０−５〜１０重量％の間である、請求項１〜７のうちのいずれかに記載の使用。
【請求項９】
痩身成分として、請求項１〜８のいずれかに記載のスペルミンおよび／またはスペルミジンを捕捉する硫酸化オリゴ糖の調製物を含む、痩身用美容組成物。
【請求項１０】
前記組成物が、少なくとも１種の別の痩身有効成分を含む、請求項９に記載の痩身用美容組成物。
【請求項１１】
前記別の痩身有効成分が、カフェイン、テオフィリン、テオブロミン、フォルスコリンまたはそれらの混合物である、請求項１０に記載の痩身用美容組成物。
【請求項１２】
痩身成分として、請求項１〜８のいずれかに記載のスペルミンおよび／またはスペルミジンを捕捉する硫酸化オリゴ糖の調製物を含む、痩身用栄養補助組成物。
【請求項１３】
前記組成物が、少なくとも１種の別の痩身有効成分を含む、請求項１２に記載の痩身用栄養補助組成物。
【請求項１４】
前記別の痩身有効成分が、カフェイン、テオフィリン、テオブロミン、フォルスコリンまたはそれらの混合物である、請求項１３に記載の痩身用栄養補助組成物。
【請求項１５】
痩身効果のある医薬組成物を調製するための、請求項１〜８のうちのいずれかに定義された硫酸化オリゴ糖の調製物の使用。
【請求項１６】
前記組成物が、少なくとも１種の別の痩身有効成分を含む、請求項１５に記載の使用。
【請求項１７】
前記別の痩身有効成分が、カフェイン、テオフィリン、テオブロミン、フォルスコリンまたはそれらの混合物である、請求項１６に記載の使用。
【請求項１８】
前記組成物が、体重過多の問題に取り組む用途である、請求項１５〜１７のいずれかに記載の使用。
【請求項１９】
請求項９〜１４のいずれかに記載の組成物の局所的適用または経口投与を含む、美容的痩身ケア方法。
【請求項２０】
活性成分として、請求項１〜８のいずれかに記載のスペルミンおよび／またはスペルミジンを捕捉する硫酸化オリゴ糖の調製物を含む、脂肪細胞によって貯蔵された脂質の量を減少するための医薬組成物。
【請求項２１】
（ｉ）請求項２〜８のいずれか１項に定義される、スペルミンおよび／またはスペルミジンを捕捉する硫酸化オリゴ糖の調製物と、（ｉｉ）カフェイン、テオフィリン、テオブロミン、およびフォルスコリンからなる群から選択される少なくとも１つと、を含む、組成物。
【請求項２２】
（ｉ）請求項２〜８のいずれか１項に定義される、スペルミンおよび／またはスペルミジンを捕捉する硫酸化オリゴ糖の調製物と、（ｉｉ）カフェイン、その誘導体および／または塩と、を含む、組成物。
【請求項２３】
（ｉ）請求項２〜８のいずれか１項に定義される、スペルミンおよび／またはスペルミジンを捕捉する硫酸化オリゴ糖の調製物と、（ｉｉ）フォルスコリン、その誘導体および／または塩と、を含む、組成物。
【手続補正書】
【提出日】平成23年4月18日(2011.4.18)
【手続補正１】
【補正対象書類名】特許請求の範囲
【補正対象項目名】全文
【補正方法】変更
【補正の内容】
【特許請求の範囲】
【請求項１】
式ＩＩ：
【化１】
2010531336.tif 000001
［式中、
Ｒ２は、ロイシン、イソロイシン、シクロヘキシルグリシン、Ｏ−メチルスレオニン、４−フルオロロイシンまたは３−メトキシバリンの側鎖であり；
Ｒ３は、Ｈ、メチルまたはＦであり；
Ｒｑは示された立体化学を有するＣＦ３であり、Ｒｑ’はＨであるか；または
ＲｑおよびＲｑ’は一緒になってケトであり；
Ｑは、
【化２】
2010531336.tif 000002
（式中、
Ｒ４は、Ｃ１〜Ｃ６アルキルであり；
Ｒ５は、Ｈ、メチルまたはＦであり；
Ｒ６は、Ｃ１〜Ｃ６アルキルである）
である］
の化合物、あるいはそれの医薬的に許容される塩、またはＮ−オキシド。
【請求項２】
式ＩＩａ：
【化３】
2010531336.tif 000003
［式中、
Ｒ２は、ロイシン、イソロイシン、シクロヘキシルグリシン、Ｏ−メチルスレオニン、４−フルオロロイシンまたは３−メトキシバリンの側鎖であり；
Ｒ３は、Ｈ、メチルまたはＦであり；
Ｒ４は、Ｃ１〜Ｃ６アルキルであり；
Ｒ５は、Ｈ、メチルまたはＦである］
を有する請求項１の化合物、あるいはそれの医薬的に許容される塩、またはＮ−オキシド。
【請求項３】
式ＩＩｂ：
【化４】
2010531336.tif 000004
［式中、
Ｒ２は、ロイシン、イソロイシン、シクロヘキシルグリシン、Ｏ−メチルスレオニン、４−フルオロロイシンまたは３−メトキシバリンの側鎖であり；
Ｒ３は、Ｈ、メチルまたはＦであり；
Ｑは、
【化５】
2010531336.tif 000005
（式中、
Ｒ４は、Ｃ１〜Ｃ６アルキルであり；
Ｒ５は、Ｈ、メチルまたはＦであり；
Ｒ６は、Ｃ１〜Ｃ６アルキルである）
である］
の化合物、あるいはそれの医薬的に許容される塩、またはＮ−オキシド。
【請求項４】
Ｒ２がロイシン、イソロイシン、Ｏ−メチルスレオニン、４−フルオロロイシンまたは３−メトキシバリンの側鎖である、請求項１から３のいずれかの化合物。
【請求項５】
Ｒ２が４−フルオロロイシン、またはロイシンの側鎖である、請求項４の化合物。
【請求項６】
Ｒ２がロイシンの側鎖である、請求項５の化合物。
【請求項７】
Ｒ３がフルオロまたはメチルである、請求項１から６のいずれかの化合物。
【請求項８】
Ｒ３がフルオロまたはメチルであり、ベンジルアミドに対してメタ位にある、請求項１から６のいずれかの化合物。
【請求項９】
Ｒ３がフルオロである、請求項７または８のいずれかの化合物。
【請求項１０】
Ｒ３がメチルである、請求項７または８のいずれかの化合物。
【請求項１１】
Ｒ３がＨである、請求項１から６のいずれかの化合物。
【請求項１２】
Ｒ５がフルオロである、請求項１から１１のいずれかの化合物。
【請求項１３】
Ｒ５がメチルである、請求項１から１１のいずれかの化合物。
【請求項１４】
Ｒ５がＨである、請求項１から１１のいずれかの化合物。
【請求項１５】
Ｒ４がメチルである、請求項１から１４のいずれかの化合物。
【請求項１６】
Ｒ６がメチルであり、並びにＲ２が４−フルオロロイシンまたはロイシンの側鎖である、請求項１の化合物。
【請求項１７】
Ｒ６がメチルであり、並びにＲ２がロイシンの側鎖である、請求項１６の化合物。
【請求項１８】
Ｎ−［１−６−クロロ−３−オキソ−ヘキサヒドロ−フロ［３，２−ｂ］ピロール−４−カルボニル）−３−フルオロ−３−メチル−ブチル］−４−［２−（４−メチル−ピペラジン−１−イル）−チアゾール−４−イル］ベンズアミド；
Ｎ−［２−（６−クロロ−３−オキソ−ヘキサヒドロ−フロ［３，２−ｂ］ピロール−４−イル）−１−シクロヘキシル−２−オキソ−エチル］−４−［２−（４−メチル−ピペラジン−１−イル）−チアゾール−４−イル］−ベンズアミド；
Ｎ−［１−（６−クロロ−３−オキソ−ヘキサヒドロ−フロ［３，２−ｂ］ピロール−４−カルボニル）−３−メチル−ブチル］−４−［２−（４−メチル−ピペラジン−１−イル）−チアゾール−４−イル］ベンズアミド；
Ｎ−［１−（６−クロロ−３−オキソ−ヘキサヒドロ−フロ［３，２−ｂ］ピロール−４−カルボニル）−３−メチル−ブチル］−４−［５−メチル−２−（４−メチル−ピペラジン−１−イル）−チアゾール−４−イル］−ベンズアミド
から選択される請求項１の化合物、あるいはそれの医薬的に許容される塩、水和物またはＮ−オキシド。
【請求項１９】
Ｎ−［１−（６−クロロ−３−オキソ−ヘキサヒドロ−フロ［３，２−ｂ］ピロール−４−カルボニル）−３−メチル−ブチル］−３−フルオロ−４−［２−（４−メチル−ピペラジン−１−イル）−チアゾール−４−イル］−ベンズアミド
である請求項１の化合物、あるいはそれの医薬的に許容される塩、水和物またはＮ−オキシド。
【請求項２０】
Ｎ−［１−（６−クロロ−３−オキソ−ヘキサヒドロ−フロ［３，２−ｂ］ピロール−４−カルボニル）−３−メチル−ブチル］−４−［５−フルオロ−２−（４−メチル−ピペラジン−１−イル）−チアゾール−４−イル］−ベンズアミド
である請求項１の化合物、あるいはそれの医薬的に許容される塩、水和物またはＮ−オキシド。
【請求項２１】
薬物として使用するための、請求項１から２０のいずれかの化合物。
【請求項２２】
請求項１から２０のいずれかの化合物、およびそれの医薬的に許容される担体または希釈剤を含む、医薬組成物。
【請求項２３】
カテプシンＫによってもたらされる疾患の、治療における、または治療剤の製造における、請求項１から２０のいずれかの化合物の使用。
【請求項２４】
カテプシンＫによってもたらされる疾患の、治療剤または予防剤の製造における、請求項１から２０のいずれかの化合物の使用。
【請求項２５】
疾患が：
骨粗鬆症、
歯肉疾患（例えば、歯肉炎および歯周炎）、
パジェット病、
悪性高カルシウム血症、
代謝性骨疾患、
過剰な軟骨分解またはマトリックス分解を特徴とする疾患（例えば、骨関節炎および関節リウマチ）、
骨癌（異常増殖を含む）、
疼痛
から選択される、請求項２３または２４のいずれかの使用。
【請求項２６】
請求項１から２０のいずれかの化合物を含む、カテプシンＫによってもたらされる疾患の治療剤または予防剤。
【請求項２７】
疾患が：
骨粗鬆症、
歯肉疾患（例えば、歯肉炎および歯周炎）、
パジェット病、
悪性高カルシウム血症、
代謝性骨疾患、
過剰な軟骨分解またはマトリックス分解を特徴とする疾患（例えば、骨関節炎および関節リウマチ）、
骨癌（異常増殖を含む）、
疼痛
から選択される、請求項２６の剤。
【請求項２８】
カテプシンＫによってもたらされる疾患の治療または予防に使用するための、請求項１から２０のいずれかの化合物。
【請求項２９】
疾患が：
骨粗鬆症、
歯肉疾患（例えば、歯肉炎および歯周炎）、
パジェット病、
悪性高カルシウム血症、
代謝性骨疾患、
過剰な軟骨分解またはマトリックス分解を特徴とする疾患（例えば、骨関節炎および関節リウマチ）、
骨癌（異常増殖を含む）、
疼痛
から選択される、請求項２８の化合物。
【手続補正書】
【提出日】平成23年6月1日(2011.6.1)
【手続補正１】
【補正対象書類名】特許請求の範囲
【補正対象項目名】全文
【補正方法】変更
【補正の内容】
【特許請求の範囲】
【請求項１】
少なくとも２個の式Ｉ−ａ：
【化１】
2010531369.tif 000001
の繰り返し単位を含む少なくとも１種のコポリマー
（式中、
各Ｒ１は、互いに独立してアルキル、ハロアルキル、アラルキル、アルケニル、アリール、又はアルキル、アルコキシ、若しくはハロで置換されたアリールであり、
各Ｙは、互いに独立してアルキレン、アラルキレン、又はそれらの組合せであり、
Ｇは、式Ｒ３ＨＮ−Ｇ−ＮＨＲ３のジアミンから、２個の−ＮＨＲ３基を差し引いたものに等しい二価の残基であり、
Ｒ３は、水素若しくはアルキルであるか、又はＲ３は、Ｇとともにそれら両方が結合した窒素と一緒になって複素環基を形成し、
各基Ｂは、独立して共有結合、４〜２０個の炭素からなるアルキレン、アラルキレン、アリーレン、又はこれらの組み合わせであり、
ｎは、独立して０〜１５００の整数であり、及び
ｐは、１〜１０の整数である）；並びに
ホットメルト加工が可能な熱可塑性樹脂、ホットメルト加工が可能なエラストマー熱硬化性樹脂、シリコーンポリマー、及びこれらの混合物の群から選択される少なくとも１種の有機ポリマーであって、
前記少なくとも１種の有機ポリマーが少なくとも２個の式Ｉ−ａの繰り返し単位を含むコポリマーではなく、粘着付与樹脂ではなく、かつ、繊維状のナイロンではない、
有機ポリマー；
を含む混合物であって、
前記混合物が２層間の境界面で存在しない、混合物。
【請求項２】
前記コポリマーが、少なくとも２個の式Ｉ−ｂ：
【化２】
2010531369.tif 000002
の繰り返し単位を含み、
前記少なくとも１種の有機ポリマーが、少なくとも２個の式Ｉ−ｂの繰り返し単位を含むコポリマーではない、
請求項１に記載の混合物。
【請求項３】
請求項１に記載の混合物と、少なくとも１種の粘着付与材料と、を含む組成物。
【請求項４】
請求項１に記載の混合物と、ホットメルト加工性ではない１種以上の添加物と、を含む組成物。
【請求項５】
請求項１に記載の混合物がその上にコーティングされた可撓性基材、を含む振動減衰複合体。
【請求項６】
請求項１に記載の混合物を含む、物品。
【請求項７】
請求項１に記載の混合物を製造する方法であって、
少なくとも１種のポリジオルガノシロキサンポリアミド含有成分、及び、少なくとも１種の有機ポリマーを、継続的に容器に供給することと、
前記成分を混合し、混合物を形成することと、
前記容器から前記混合物を移送することと、
を含む方法。
【請求項８】
請求項１に記載の混合物を製造する方法であって、
少なくとも１種のポリジオルガノシロキサンポリアミドを生成するための反応物質成分と、前記反応物質成分と反応しない少なくとも１種の有機ポリマーとを継続的に供給することと、
前記成分を混合することと、
前記反応物質成分を反応させ、ポリジオルガノシロキサンアミドセグメント化コポリマーを生成することと、
反応装置から前記混合物を移送することと、
を含む方法。
【手続補正書】
【提出日】平成23年3月1日(2011.3.1)
【手続補正１】
【補正対象書類名】特許請求の範囲
【補正対象項目名】全文
【補正方法】変更
【補正の内容】
【特許請求の範囲】
【請求項１】
式ａ）〜ｄ）：
【化６】
2010531370.tif 000001
〔ここで、全ての基Ｒ１は、それぞれ他と独立に、水素又はメチル基であり、
ＲＦは、式：
【化７】
2010531370.tif 000002
（式中、ｘが２〜２２の数である）のペルフルオロアルキル基であり、
ｎは２〜６の数であり、ここでｎは好ましくは２である〕
で示されるモノマーに由来する共重合ユニットを含むコポリマー。
【請求項２】
モノマーｅ）〜ｈ）：
【化８】
2010531370.tif 000003
（ここで、Ｒ１は請求項１に記載の意味を有し、ｔは８〜２４の数である）
に由来する１つ以上の共重合ユニットを追加として含むことを特徴とする、請求項１に記載のコポリマー。
【請求項３】
以下の相対量：
３５〜５５mol％、特に４２〜５０mol％のａ）に由来するユニット、
８〜５５mol％、特に２０〜４５mol％のｂ）に由来するユニット、
８〜４２mol％、特に８〜３２mol％のｃ）に由来するユニット、
４〜１８mol％、特に４〜１２mol％のｄ）に由来するユニット、
３〜１６mol％、特に５〜１２mol％のｅ）に由来するユニット、
４〜１６mol％、特に６〜１３mol％のｆ）に由来するユニット、
３〜１６mol％、特に５〜１１mol％のｇ）に由来するユニット
でモノマーａ）〜ｇ）に由来するユニットを含むことを特徴とする、請求項１又は２に記載のコポリマー。
【請求項４】
請求項１〜３の一つ以上に記載のコポリマーを一つ以上含む水性分散液。
【請求項５】
繊維材料の処理のための、請求項４に記載の水性分散液の使用。
【請求項６】
繊維材料が、織物、ニット、又は不織布の形態である繊維品であることを特徴とする、請求項５に記載の使用。
【請求項７】
繊維品が、ポリオレフィン、特にポリプロピレンから作られた不織布であることを特徴とする、請求項６に記載の使用。
【手続補正書】
【提出日】平成23年6月20日(2011.6.20)
【手続補正１】
【補正対象書類名】特許請求の範囲
【補正対象項目名】全文
【補正方法】変更
【補正の内容】
【特許請求の範囲】
【請求項１】
下記の工程を含むことを特徴とする、ブロックの少なくとも一つがジエンエラストマーからなり且つブロックの少なくとももう１つがポリエーテルからなるブロックコポリマーの製造方法：
リビングジエンエラストマーを、およそ150〜5000g/モルの数平均分子量の官能性ポリエーテルブロックを有する下記の一般式Iの官能化剤と反応させる工程：
【化１】
2010531375.tif 000001
(式中、R1は、結合価mのC1〜C15アルキル、C6〜C15アリールまたはC7〜C15アルキルアリール炭化水素系誘導体を示し；
R2は、C1〜C10アルキレン基を示し；
nは、1よりも大きい数であり；そして、
mは、1〜4の整数である)。
【請求項２】
前記リビングジエンエラストマーを一般式Iの前記官能化剤と反応させる工程の前に、前記方法が、前記リビングポリマーを、少なくとも１種のジエンモノマーを単官能性有機金属開始剤の存在下にアニオン重合させることによって調製する工程を含む、請求項１記載の方法。
【請求項３】
前記方法が、カップリングおよび/または星型分岐化および/または一般式Iの官能化剤とは異なる官能化剤による補完的官能化の工程も含む、請求項１または２記載の方法。
【請求項４】
請求項１〜３のいずれか一項に記載の方法によって得られた、ブロックの少なくとも一つがジエンエラストマーからなり且つブロックの少なくとももう１つがおよそ100〜5000g/モルの数平均分子量を有するポリエーテルからなるジエンブロックコポリマー。
【請求項５】
請求項１〜３のいずれか一項に記載の方法によって得られた少なくとも１種のジエンブロックコポリマーをベースとし、補強用充填剤と相互作用させることを意図する、空気式タイヤの製造において使用することのできる補強ゴム組成物。
【請求項６】
少なくとも１種の構成成分中に、請求項５記載のゴム組成物を含むことを特徴とするタイヤ。
【請求項７】
請求項５記載のゴム組成物を含むことを特徴とする、請求項６記載のタイヤ用のトレッド。
【手続補正書】
【提出日】平成23年6月20日(2011.6.20)
【手続補正１】
【補正対象書類名】特許請求の範囲
【補正対象項目名】全文
【補正方法】変更
【補正の内容】
【特許請求の範囲】
【請求項１】
下記の工程を含むことを特徴とする、ブロックの少なくとも一つがジエンエラストマーからなり且つブロックの少なくとも他の１つがポリエーテルからなるジエンブロックコポリマーの製造方法：
リビングジエンエラストマーを、下記の一般式Iで示すおよそ150〜5000g/モルの数平均分子量を有する官能性ポリエーテルブロックを有する官能化剤と反応させる工程：
【化１】
2010531374.tif 000001
[式中、R1は、結合価mのC1〜C15アルキル、C6〜C15アリールまたはC7〜C15アラルキル炭化水素系誘導体を示し；
mは、1〜4の整数であり；そして、
Aは、mが1よりも大きいときは同一または異なるものであって、下記の一般式IIの基を示す：
【化２】
2010531374.tif 000002
(式中、R2は、C1〜C10アルキレン基を示し；
R3は、二価のC1〜C50アルキル、C6〜C50アリールまたはC7〜C50アラルキル炭化水素系誘導体基を示し；
R4は、C1〜C50アルキル、C6〜C50アリールまたはC7〜C50アラルキル基を示し；
Xは、iが0または1に等しいときは同一または異なるものであって、ハロゲン原子および式‐OR5 (式中、R5は、C1〜C18アルキル、C5〜C18シクロアルコキシルまたはC6〜C18アリール基を示す)の基から選ばれる基を示し；
nは、前記ポリエーテルブロックがおよそ150〜5000g/モルの数平均分子量を有するように1よりも大きい数であり；
iは、0〜2の整数である)]。
【請求項２】
前記リビングジエンエラストマーを一般式Iの前記官能化剤と反応させる工程の前に、前記方法が、少なくとも１種のジエンモノマーを単官能性有機金属開始剤の存在下にアニオン重合させることによって前記リビングジエンエラストマーを調製する工程を含む、請求項１記載の方法。
【請求項３】
前記リビングジエンエラストマーを一般式Iの前記官能化剤と反応させる工程の前に、前記方法が、前記リビングポリマーを環状オルガノシロキサン化合物と反応させてシラノラート末端リビングジエンエラストマーを調製することによって前記リビングポリマーを中間官能化する工程を含み、その後、該予備官能化エラストマーを一般式Iの官能化剤と反応させる、請求項１または２記載の方法。
【請求項４】
前記リビングジエンエラストマーを一般式Iの前記官能化剤と反応させる工程に続いて、加水分解またはアルコール分解工程を実施する、請求項１〜３のいずれか１項記載の方法。
【請求項５】
前記方法が、カップリングおよび/または星型分岐化および/または環状オルガノシロキサン化合物以外で且つ一般式Iの官能化剤とは異なる官能化剤による補完的官能化の工程を含む、請求項１〜４のいずれか１項記載の方法。
【請求項６】
およそ150〜5000g/モルの数平均分子量を有する少なくとも１つのポリエーテルブロックを含み、且つ下記の一般式IIIに相応することを特徴とするジエンブロックコポリマー：
【化３】
2010531374.tif 000003
[式中、R1は、結合価mのC1〜C15アルキル、C6〜C15アリールまたはC7〜C15アラルキル炭化水素系誘導体を示し；
mは、1〜4の整数を示し；そして、
A'は、mが1以外のときは同一または異なるものであって、下記の一般式IVのブロックを示す：
【化４】
2010531374.tif 000004
(式中、R2は、C1〜C10アルキレン基を示し；
R3は、二価のC1〜C50アルキル、C6〜C50アリールまたはC7〜C50アラルキル炭化水素系誘導体を示し；
R4は、互いに独立して、C1〜C50アルキル、C6〜C50アリールまたはC7〜C50アラルキル基を示し；
R8は、水素原子、またはC1〜C18アルキル、C5〜C18シクロアルコキシルもしくはC6〜C18アリール基を示し；
nは、前記ポリエーテルブロックがおよそ150〜5000g/モルの数平均分子量を有するように1よりも大きい数であり；
iは、0〜2の整数であり；
kは、i + k ≦ 3であるように、1〜3の整数であり；そして、
Bは、‐[(‐O‐SiR9R10)q‐P]基を示し、式中、R9およびR10は、互いに独立して、C1〜C50アルキル、C6〜C50アリールまたはC7〜C50アラルキル基を示し、qは0〜10の整数であり、Pはジエンエラストマーである)]。
【請求項７】
一般式IVにおいて、ジエンエラストマーPが、スチレン/ブタジエンコポリマーである、請求項６記載のジエンブロックコポリマー。
【請求項８】
前記ジエンブロックコポリマーが、請求項１〜５のいずれか１項記載の方法を実施することによって得られる、請求項６または７記載のジエンブロックコポリマー。
【請求項９】
空気式タイヤの製造において使用することができ、請求項６〜８のいずれか１項において定義した少なくとも１種のジエンブロックコポリマーをベースとし、補強用充填剤と相互作用させることを意図する、補強ゴム組成物。
【請求項１０】
少なくとも１種の構成成分中に、請求項９記載のゴム組成物を含むことを特徴とするタイヤ。
【請求項１１】
請求項９記載のゴム組成物を含むことを特徴とする、請求項１０記載のタイヤ用のトレッド。
【手続補正書】
【提出日】平成23年6月15日(2011.6.15)
【手続補正１】
【補正対象書類名】明細書
【補正対象項目名】００１８
【補正方法】変更
【補正の内容】
【００１８】
有利には、かかる二価酸はテレフタル酸、イソフタル酸、ｏ−フタル酸、ナフタレンジカルボン酸、シクロヘキサンジカルボン酸、シクロヘキサン二酢酸、ジフェニル−４，４’−ジカルボン酸、コハク酸、マレイン酸、グルタル酸、アジピン酸、セバシン酸又はそれらの混合物である。
【手続補正２】
【補正対象書類名】明細書
【補正対象項目名】００１９
【補正方法】変更
【補正の内容】
【００１９】
別の実施態様において、ジカルボン酸ジエステルはジオールと反応して初期縮合物を製造し、その際、ジカルボン酸ジエステルはテレフタル酸、イソフタル酸、ｏ−フタル酸、ナフタレンジカルボン酸、シクロヘキサンジカルボン酸、シクロヘキサン二酢酸、ジフェニル−４，４’−ジカルボン酸、コハク酸、マレイン酸、グルタル酸、アジピン酸、セバシン酸のＣ１−Ｃ４ジアルキルジエステル又はそれらの混合物である。
【手続補正３】
【補正対象書類名】特許請求の範囲
【補正対象項目名】請求項８
【補正方法】変更
【補正の内容】
【請求項８】
ジカルボン酸をジオールと反応させて初期縮合物を製造し、その際、該ジカルボン酸はテレフタル酸、イソフタル酸、ｏ−フタル酸、ナフタレンジカルボン酸、シクロヘキサンジカルボン酸、シクロヘキサン二酢酸、ジフェニル−４，４’−ジカルボン酸、コハク酸、マレイン酸、グルタル酸、アジピン酸、セバシン酸又はそれらの混合物である、請求項１記載の方法。
【手続補正４】
【補正対象書類名】特許請求の範囲
【補正対象項目名】請求項９
【補正方法】変更
【補正の内容】
【請求項９】
ジカルボン酸ジエステルをジオールと反応させて初期縮合物を製造し、その際、該ジカルボン酸ジエステルはテレフタル酸、イソフタル酸、ｏ−フタル酸、ナフタレンジカルボン酸、シクロヘキサンジカルボン酸、シクロヘキサン二酢酸、ジフェニル−４,４’−ジカルボン酸、コハク酸、マレイン酸、グルタル酸、アジピン酸、セバシン酸のＣ1〜Ｃ4−ジアルキルジエステル又はそれらの混合物である、請求項１記載の方法。
【手続補正書】
【提出日】平成23年6月16日(2011.6.16)
【手続補正１】
【補正対象書類名】特許請求の範囲
【補正対象項目名】全文
【補正方法】変更
【補正の内容】
【特許請求の範囲】
【請求項１】
自己免疫性関節炎の治療または予防における使用のための、Ｔｏｌｌ様受容体２の機能の拮抗薬である抗体またはその結合断片。
【請求項２】
前記自己免疫性関節炎は、急性または慢性である請求項１に記載の抗体またはその結合断片。
【請求項３】
前記自己免疫性関節炎は、関節リウマチまたは若年性関節リウマチである請求項１に記載の抗体またはその結合断片。
【請求項４】
前記抗体は、ヒトＴｏｌｌ様受容体２に対して特異的に結合するヒト抗体、またはラクダ抗体である請求項１〜３いずれか１項に記載の抗体またはその結合断片。
【請求項５】
前記抗体またはその結合断片は、
（ａ）キメラ抗体またはその断片、
（ｂ）合成抗体またはその断片、
（ｃ）ヒト化抗体またはその断片、および
（ｄ）Ｆａｂ断片
からなる群から選択される請求項１〜３いずれか１項に記載の抗体またはその結合断片。
【請求項６】
前記抗体は、ＩｇＧ、ＩｇＡ、ＩｇＭ、およびＩｇＥからなる群から選択されるアイソタイプのものである請求項１〜３いずれか１項に記載の抗体またはその結合断片。
【請求項７】
前記抗体は、アイソタイプ  ＩｇＧのものであり、サブクラス  ＩｇＧ１、ＩｇＧ２、ＩｇＧ３またはＩｇＧ４のものである請求項１〜３いずれか１項に記載の抗体またはその結合断片。
【請求項８】
前記抗体またはその結合断片はＴｏｌｌ様受容体２に存在する抑制性エピトープに結合し、解離定数（Ｋｄ）が１０−７Ｍ〜１０−１１Ｍの群から選択される請求項１〜３いずれか１項に記載の抗体またはその結合断片。
【請求項９】
前記抗体またはその結合断片はヒトＴＬＲ２の細胞外領域に結合する請求項１〜３いずれか１項に記載の抗体またはその結合断片。
【請求項１０】
前記抗体またはその結合断片は、配列番号１のアミノ酸残基１９〜３９または５３８〜５４９を含むＴｏｌｌ様受容体２のエピトープに結合する請求項１〜３いずれか１項に記載の抗体またはその結合断片。
【請求項１１】
前記抗体は、クローン  Ｔ２．５に由来する抗ＴＬＲ２モノクローナル抗体またはその結合断片である請求項１に記載の抗体またはその結合断片。
【請求項１２】
免疫抑制剤を伴う請求項１〜１１いずれか１項に記載の抗体またはその結合断片であって、前記抗体またはその結合断片および前記免疫抑制剤は、同時投与、別々の投与、または連続投与で与えられる抗体またはその結合断片。
【請求項１３】
前記免疫抑制剤は、抗ＣＤ２０抗体、抗ＴＮＦ抗体、インターロイキン−１（ＩＬ−１）遮断薬、およびＴ細胞活性化の遮断薬からなる群から選択される請求項１２に記載の抗体またはその結合断片。
【請求項１４】
前記免疫抑制剤は、抗ＴＮＦ−α抗体、抗ＣＤ２０抗体、抗ＩＬ−１抗体、抗ＩＬ−６抗体、抗ＩＬ−８抗体、ＴＮＦ拮抗薬、ＩＬ−１２拮抗薬、ＩＬ−１５拮抗薬、ＩＬ−１７拮抗薬、ＩＬ−１８拮抗薬、炎症促進性Ｔ細胞抑制因子、制御性Ｔ細胞プロモーター、メトトレキセート、レフルノミド、ラパマイシン、Ｃｏｘ−２阻害剤、ＮＳＡＩＤおよびｐ３８阻害剤からなる群から選択される請求項１２に記載の抗体またはその結合断片。
【請求項１５】
Ｔｏｌｌ様受容体２を媒介したＩＬ−８生成によってもたらされる症状の治療における使用のための、Ｔｏｌｌ様受容体２の機能の拮抗薬である抗体またはそれ由来の結合断片。
【手続補正書】
【提出日】平成23年6月27日(2011.6.27)
【手続補正１】
【補正対象書類名】特許請求の範囲
【補正対象項目名】全文
【補正方法】変更
【補正の内容】
【特許請求の範囲】
【請求項１】
α−アラニン−Ｎ，Ｎ−二酢酸及び／又はα−アラニン−Ｎ，Ｎ−二酢酸の１以上の誘導体の粉末から出発し、
ａ．α−アラニン−Ｎ，Ｎ−二酢酸及び／又はα−アラニン−Ｎ，Ｎ−二酢酸の１以上の誘導体の粉末をローラープレスで圧縮してスラグを取得し、
ｂ．前記のスラグを破砕し、かつ
ｃ．前記の破砕されたスラグを篩分けする
ことによって、本質的にα−アラニン−Ｎ，Ｎ−二酢酸及び／又はα−アラニン−Ｎ，Ｎ−二酢酸の１以上の誘導体を含有する、易流動性でかつ貯蔵安定性の固体を製造するための方法において、ローラープレスでの圧縮を、３５℃を上回る融点を有するポリエチレングリコールを添加して行い、その際、ローラープレスでの圧縮のためのポリエチレングリコールの添加が、ローラープレスでの圧縮に供給されるα−アラニン−Ｎ，Ｎ−二酢酸及び／又はα−アラニン−Ｎ，Ｎ−二酢酸の１以上の誘導体からなる粉末及びポリエチレングリコールの全質量に対して２〜１５質量％であることを特徴とする方法。
【請求項２】
ローラープレスでの圧縮を、４０℃を上回る融点を有するポリエチレングリコールを添加して行う、請求項１記載の方法。
【請求項３】
ローラープレスでの圧縮のためのポリエチレングリコールの添加が、ローラープレスでの圧縮に供給されたα−アラニン−Ｎ，Ｎ−二酢酸及び／又はα−アラニン−Ｎ，Ｎ−二酢酸の１以上の誘導体からなる粉末及びポリエチレングリコールの全質量に対して５〜１５質量％である、請求項１記載の方法。
【請求項４】
ローラープレスでの圧縮のためのポリエチレングリコールの添加が、ローラープレスでの圧縮に供給されたα−アラニン−Ｎ，Ｎ−二酢酸及び／又はα−アラニン−Ｎ，Ｎ−二酢酸の１以上の誘導体からなる粉末及びポリエチレングリコールの全質量に対して７質量％である、請求項３記載の方法。
【請求項５】
ローラープレスでの圧縮を、ローラー幅及びローラー直径に対して、２〜１０Ｎ／ｍｍ×ｍｍのローラー上でのプレス圧で行う、請求項１から４までのいずれか１項記載の方法。
【請求項６】
他の添加剤と混合し、かつ圧縮してタブレットにすることによって食器洗浄機用タブレットを製造するための、請求項１から５までのいずれか１項記載の方法により製造された、本質的にα−アラニン−Ｎ，Ｎ−二酢酸及び／又はα−アラニン−Ｎ，Ｎ−二酢酸の１以上の誘導体を含有する、易流動性でかつ貯蔵安定性の固体の使用方法。
【手続補正書】
【提出日】平成23年6月23日(2011.6.23)
【手続補正１】
【補正対象書類名】特許請求の範囲
【補正対象項目名】全文
【補正方法】変更
【補正の内容】
【特許請求の範囲】
【請求項１】
（i）ヒトIL‐15又はその誘導体、及び（ii）ヒトIL‐15受容体α（「IL‐15Ra」）又はその誘導体を組換えで同時発現するよう操作された、照射された癌細胞を含む、ヒト対象の癌を治療するための医薬組成物。
【請求項２】
前記照射された癌細胞が、前記対象から得られた癌細胞を使用して生成される、請求項１記載の医薬組成物。
【請求項３】
前記照射された癌細胞が、ヒトIL‐15及びヒトIL‐15Ra又はそれらの誘導体を組換えで発現する、請求項１又は２記載の医薬組成物。
【請求項４】
前記照射された癌細胞が、ヒトIL‐15誘導体及びヒトIL‐15Raを組換えで発現する、請求項１又は２記載の医薬組成物。
【請求項５】
前記照射された癌細胞が、ヒトIL‐15誘導体及びヒトIL‐15Ra誘導体を組換えで発現する、請求項１又は２記載の医薬組成物。
【請求項６】
前記ヒトIL‐15Ra又はヒトIL‐15Ra誘導体が可溶性である、請求項１〜５のいずれか一項記載の医薬組成物。
【請求項７】
前記照射された癌細胞が、1つ以上の他の治療用ポリペプチドをさらに組換えで発現する、請求項１〜６のいずれか一項記載の医薬組成物。
【請求項８】
IL‐15／IL‐15Ra複合体に特異的に結合し、かつ細胞培養物又はインビトロにおいて決定されるようにβ‐γ受容体複合体に対するIL‐15／IL‐15Ra複合体の結合を低下させる抗体を含む、ヒト対象の自己免疫障害又は炎症性障害を治療するための医薬組成物。
【請求項９】
前記抗体が、モノクローナルヒト化抗体である、請求項８記載の医薬組成物。
【請求項１０】
ポリ‐β‐1→4‐N‐アセチルグルコサミンポリマーとともに製剤されたIL‐15／IL‐15Ra複合体を含む、ヒト対象のIL‐15仲介性免疫機能を増強するための医薬組成物であって、該IL‐15／IL‐15Ra複合体が、ヒトIL‐15Ra又はその誘導体に共有結合し又は非共有結合したヒトIL‐15又はその誘導体を含む、前記医薬組成物。
【請求項１１】
前記IL‐15／IL‐15Ra複合体が、ヒトIL‐15及びヒトIL‐15Ra又はそれらの誘導体を含む、請求項１０記載の医薬組成物。
【請求項１２】
前記IL‐15／IL‐15Ra複合体が、ヒトIL‐15誘導体及びヒトIL‐15Raを含む、請求項１０記載の医薬組成物。
【請求項１３】
前記IL‐15／IL‐15Ra複合体が、ヒトIL‐15誘導体及びヒトIL‐15Ra誘導体を含む、請求項１０記載の医薬組成物。
【請求項１４】
前記ヒトIL‐15Ra又はヒトIL‐15Ra誘導体が可溶性である、請求項１０〜１３のいずれか一項記載の医薬組成物。
【請求項１５】
1つ以上の他の治療用ポリペプチドをさらに含む、請求項１０〜１４のいずれか一項記載の医薬組成物。
【請求項１６】
ヒトIL‐15及びヒトIL‐15Raを組換えで発現する照射された癌細胞を製造する方法であって、（i）癌と診断された対象から癌細胞を単離する工程；（ii）組換えヒトIL‐15又はその誘導体とヒトIL‐15Ra又はその誘導体とをコードする核酸コンストラクトを導入する工程；及び（iii）該癌細胞を照射する工程を含む、前記方法。
【請求項１７】
前記ヒトIL‐15Ra又はヒトIL‐15Ra誘導体が可溶性である、請求項１６記載の方法。
【請求項１８】
請求項１６又は請求項１７記載の方法によって製造された、ヒトIL‐15及びヒトIL‐15Raを組換えで発現する照射された癌細胞。
【請求項１９】
請求項１８記載の照射された癌細胞を含む医薬組成物。
【請求項２０】
前記照射された癌細胞が、ポリ‐β‐1→4‐N‐アセチルグルコサミンポリマーとともに製剤されている、請求項１９記載の医薬組成物。
【請求項２１】
哺乳動物IL‐15又はその誘導体と哺乳動物IL‐15Ra又はその誘導体とを組換えで発現する細胞であって、少なくとも0.6pgの哺乳動物IL‐15又はその誘導体を発現する、前記細胞。
【請求項２２】
前記細胞が、無血清培地において増殖する、請求項２１記載の細胞。
【手続補正書】
【提出日】平成23年6月20日(2011.6.20)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2010531876.tif 000001
［式中：
Ｍはカチオンであり；
ＲＥは希土類金属であり；
Ｘは対アニオンであり；そして
Ｒ１、Ｒ２、Ｒ３およびＲ４は、それぞれ独立して、水素、炭素原子数１〜８のアルキル、アリール、ハロおよびアルコキシからなる群より選択される］
により表される希土類金属錯体。
【請求項２】
前記希土類錯体が式：
【化２】
2010531876.tif 000002
により表される、請求項１に記載の希土類金属錯体。
【請求項３】
式（Ｉ）：
【化３】
2010531876.tif 000003
［式中：
Ｍはカチオンであり；
ＲＥは希土類金属であり；
Ｘは対アニオンであり；そして
Ｒ１、Ｒ２、Ｒ３およびＲ４は、それぞれ独立して、水素、炭素原子数１〜８のアルキル、アリール、ハロおよびアルコキシからなる群より選択される］
の希土類金属錯体の調製方法であって、前記方法が、
（ｉ）式（ＩＩ）：
【化４】
2010531876.tif 000004
［式中、
Ｍはカチオンであり；そして
Ｒ１、Ｒ２、Ｒ３およびＲ４は、それぞれ独立して、水素、炭素原子数１〜８のアルキル、アリール、ハロおよびアルコキシからなる群より選択される］
により表される、５，６−ジアリール−３−（２−ピリジル）−１，２，４−トリアジントリスルホン酸誘導体の三アルカリ塩；および
（ｉｉ）式：
ＲＥ３＋Ｘ３−
［式中、
ＲＥは希土類金属であり；そして
Ｘは対アニオンである]
により表される希土類金属塩；
を接触させる段階を含み、反応体（ｉ）および（ｉｉ）を接触させる前記段階を、溶媒の存在下、前記式（Ｉ）の希土類金属錯体を生じるのに足る温度および時間で実施する、前記方法。
【手続補正書】
【提出日】平成23年7月21日(2011.7.21)
【手続補正１】
【補正対象書類名】特許請求の範囲
【補正対象項目名】全文
【補正方法】変更
【補正の内容】
【特許請求の範囲】
【請求項１】
式（１）の化合物、又はその薬学的に許容可能な塩。
【化１】
2010531855.tif 000001
（式中、Ｒ１及びＲ２は同一又は異なり、それぞれ、
−任意に置換されてもよいアルキル、
−任意に置換されてもよいアルケニル、
−任意に置換されてもよいアリール、
−任意に置換されてもよいアルキルアリール
からなる群から選択され；
Ｒ３、Ｒ４、Ｒ５、Ｒ６、Ｒ７、Ｒ８、Ｒ９及びＲ１０は、同一又は異なり、それぞれ、
−水素、
−ハロゲン、
−シアノ、
−ニトロ、
−カルボキシル、
−アミノカルボニル、
−スルホン酸ラジカル（−ＳＯ３Ｈ）、
−アミノスルホニル、
−任意に置換されてもよいアルキル、
−任意に置換されてもよいアルコキシ、
−任意に置換されてもよいアルケニル、
−任意に置換されてもよいアリール、
−任意に置換されてもよいアルキルアリール
からなる群から選択され；
Ｒ１１は、任意に置換されてもよいアルカンジイル又は任意に置換されてもよいアルケンジイルであり；
Ｒ１２が水素、及びＲ１３が任意に置換されてもよいアルキル又はヒドロキシルであるか、又は、
Ｒ１３が水素、及びＲ１２が任意に置換されてもよいアルキル又はヒドロキシルであるか、又は、
Ｒ１２及びＲ１３がそれぞれアルキルであり、この場合、アルキル基の少なくとも１つは少なくとも１つの置換基を持つか、又は、
Ｒ１２及びＲ１３が、それらが結合している窒素原子とともに、飽和又は不飽和の、任意にさらなるヘテロ原子を含むことのできる任意に置換されてもよい５〜８員環であり；及び
Ｘ１は、
−単結合、
−カルボニル、
−硫黄、
−酸素、
−スルホキシ、
−スルホニル、
−アゾ及び
−炭素数１〜６の、任意に置換されてもよい、飽和又は不飽和の脂肪族ラジカルからなる群から選択される。）
【請求項２】
Ｒ１２が水素、及びＲ１３が置換されたアルキルであるか、又は、Ｒ１３が水素、及びＲ１２が置換されたアルキルである、請求項１に記載の化合物。
【請求項３】
置換されたアルキルが、下記式で表される基を少なくとも１つ含むアルキルである、請求項２に記載の化合物。
−Ｘ２−Ｒ１４
（式中、Ｘ２は、
−カルボニル、
−スルホキシ及び
−スルホニル
からなる群から選択され、及び
Ｒ１４は、ヒドロキシ、任意に置換されてもよいアミノ及び任意に置換されてもよいアルコキシからなる群から選択される。）
【請求項４】
Ｒ１２が水素、及びＲ１３が式Ｈ２Ｎ−Ａの化合物のラジカルＡであるか、又は
Ｒ１３が水素、及びＲ１２が式Ｈ２Ｎ−Ａの化合物のラジカルＡであり、
ここで、Ａは、天然又は合成アミノ酸、天然又は合成アミノ酸誘導体、又はポリアミノ酸又はポリアミノ酸誘導体から、アミノ基（−ＮＨ２）の開裂によって得られるラジカルである、
請求項１，２又は３のいずれかに記載の化合物。
【請求項５】
式（２）である、請求項１〜４のいずれかに記載の化合物。
【化２】
2010531855.tif 000002
【請求項６】
Ｒ１及びＲ２は、それぞれアルキルであり、
Ｒ３、Ｒ４、Ｒ５、Ｒ６、Ｒ７、Ｒ８、Ｒ９及びＲ１０は、それぞれ水素であり、
Ｒ１１はアルカンジイルであり、
Ｒ１２が水素、及びＲ１３が式Ｈ２Ｎ−Ａの化合物のラジカルＡであるか、又は、
Ｒ１３が水素、及びＲ１２が式Ｈ２Ｎ−Ａの化合物のラジカルＡであり、
ここで、Ａはいずれの場合も天然又は合成アミノ酸、天然又は合成アミノ酸誘導体又はポリアミノ酸又はポリアミノ酸誘導体からアミノ基（−ＮＨ２）の開裂により得られるラジカルであり、及び
Ｘ１はカルボニル（−ＣＯ−）である、
請求項１〜５のいずれかに記載の化合物。
【請求項７】
【化３】
2010531855.tif 000003
【化４】
2010531855.tif 000004
又は
その薬学的に許容可能な塩からなる群から選択される、
請求項１〜６のいずれかに記載の化合物。
【請求項８】
請求項１〜７のいずれかに記載の、式（１）の化合物の製造方法であって、
式（３）の化合物又はその塩と、式（４）の化合物との反応の工程を含む方法。
【化５】
2010531855.tif 000005
（式（３）及び（４）中、Ｒ１〜Ｒ１３及びＸ１は請求項１〜７の１以上で定義したとおりである。）
【請求項９】
薬剤として使用するための、請求項１〜７のいずれかに記載の式（１）の化合物。
【請求項１０】
ガン疾患の治療のための薬剤の製造における、請求項１〜７のいずれかに記載の式（１）の化合物の使用。
【請求項１１】
請求項１〜７のいずれかに記載の化合物を含む、ガン疾患の治療のための薬剤。
【請求項１２】
下記式で表わされる化合物、又はその薬学的に許容可能な塩。
【化６】
2010531855.tif 000006
（式中、ｘは２である。）
【請求項１３】
請求項１２に記載の化合物の少なくとも１つを含む薬剤。
【請求項１４】
ガン疾患の治療のための請求項１３に記載の薬剤。
【請求項１５】
乳癌、腸癌又はメラノーマの治療のための請求項１３に記載の薬剤。
【手続補正書】
【提出日】平成23年6月16日(2011.6.16)
【手続補正１】
【補正対象書類名】特許請求の範囲
【補正対象項目名】全文
【補正方法】変更
【補正の内容】
【特許請求の範囲】
【請求項１】
生後視覚発達の臨界期を過ぎたヒトの弱視を治療または緩和するための薬剤の製造のための、少なくとも１種の抗うつ剤の使用。
【請求項２】
生後視覚発達の臨界期を過ぎたヒトの弱視を治療または緩和するための薬剤の製造のための、大脳皮質内の脳由来神経栄養因子（ＢＤＮＦ）のレベルを向上させる化合物の使用。
【請求項３】
生後視覚発達の臨界期を過ぎたヒトの弱視を治療または緩和するための薬剤の製造における、大脳皮質におけるγ-アミノ酪酸（ＧＡＢＡ）介在性の抑制作用を低減する化合物の使用。
【請求項４】
該薬剤の投与を、弱視の目の使用を支持または促進する手段の適用と共に行うことを特徴とする請求項１〜３のいずれかに記載の使用。
【請求項５】
該薬剤の投与を、弱視の目の使用を支持または促進する手段の適用の前、該適用と同時、若しくは該適用の前並びに該適用と同時に行うことを特徴とする請求項４に記載の使用。
【請求項６】
該薬剤を連続的に投与し、弱視の目の使用を支持または促進する手段を周期的に適用することを特徴とする請求項５に記載の使用。
【請求項７】
弱視の目の使用を支持または促進する該手段が、弱視ではない方の目の視覚の物理的遮蔽、及び弱視ではない方の目の視覚の薬理学的遮蔽よりなる群から選ばれることを特徴とする請求項４〜６のいずれかに記載の使用。
【請求項８】
該抗うつ剤が、選択的セロトニン再取り込み阻害薬群（ＳＳＲＩ）より選ばれることを特徴とする請求項１に記載の使用。
【請求項９】
該選択的セロトニン再取り込み阻害薬が、フルオキセチン、フルボキサミン、パロキセチン、セルトラリン、シタロプラム及びエスシタロプラムよりなる群から選ばれることを特徴とする請求項８に記載の使用。
【請求項１０】
該抗うつ剤が、フルオキセチンであることを特徴とする請求項１に記載の使用。
【請求項１１】
該薬剤が、経口投与用であることを特徴とする請求項１〜３のいずれかに記載の使用。
【請求項１２】
生後視覚発達の臨界期を過ぎたヒトの弱視を治療または緩和するための方法に用いる抗うつ剤。
【請求項１３】
生後視覚発達の臨界期を過ぎたヒトの弱視を治療または緩和するための方法に使用される化合物であって、大脳皮質内の脳由来神経栄養因子（ＢＤＮＦ）のレベルを向上させる化合物。
【請求項１４】
生後視覚発達の臨界期を過ぎたヒトの弱視を治療または緩和するための方法に使用される化合物であって、大脳皮質におけるγ-アミノ酪酸（ＧＡＢＡ）介在性の抑制作用を低減する化合物。
【請求項１５】
生後視覚発達の臨界期を過ぎた弱視のヒトに、ヒトのうつ症状を緩和する少なくとも１種の薬剤（抗うつ剤）を有効量投与することを包含する、弱視のヒトを治療するための方法。
【請求項１６】
生後視覚発達の臨界期を過ぎた弱視のヒトに、大脳皮質内の脳由来神経栄養因子（ＢＤＮＦ）のレベルを向上させる少なくとも１種の化合物を有効量投与することを包含する、弱視のヒトを治療するための方法。
【請求項１７】
生後視覚発達の臨界期を過ぎた弱視のヒトに、大脳皮質におけるγ-アミノ酪酸（ＧＡＢＡ）介在性の抑制作用を減少させる少なくとも１種の化合物を有効量投与することを包含する、弱視のヒトを治療するための方法。
【請求項１８】
該薬剤が、選択的セロトニン再取り込み阻害薬群（ＳＳＲＩ）より選ばれることを特徴とする請求項１５に記載の方法。
【請求項１９】
該選択的セロトニン再取り込み阻害薬が、フルオキセチン、フルボキサミン、パロキセチン、セルトラリン、シタロプラム及びエスシタロプラムよりなる群から選ばれることを特徴とする請求項１８に記載の方法。
【請求項２０】
該抗うつ剤が、フルオキセチンであることを特徴とする請求項１５に記載の方法。
【請求項２１】
該薬剤または化合物を経口投与することを特徴とする請求項１５〜１７のいずれかに記載の方法。
【請求項２２】
該薬剤または化合物の投与を、弱視の目の使用を支持または促進する手段の適用と共に行うことを特徴とする請求項１５〜１７のいずれかに記載の方法。
【請求項２３】
該薬剤または化合物の投与を、弱視の目の使用を支持または促進する手段の適用の前、該適用と同時、若しくは該適用の前並びに該適用と同時に行うことを特徴とする請求項２２に記載の方法。
【請求項２４】
該薬剤または化合物を連続的に投与し、弱視の目の使用を支持または促進する手段を周期的に適用することを特徴とする請求項２３に記載の方法。
【請求項２５】
弱視の目の使用を支持または促進する該手段が、弱視ではない方の目の視覚の物理的遮蔽、及び弱視ではない方の目の視覚の薬理学的遮蔽よりなる群から選ばれることを特徴とする請求項２２〜２４のいずれかに記載の方法。
【手続補正書】
【提出日】平成23年6月23日(2011.6.23)
【手続補正１】
【補正対象書類名】特許請求の範囲
【補正対象項目名】全文
【補正方法】変更
【補正の内容】
【特許請求の範囲】
【請求項１】
RSV F抗原に免疫特異的に結合する改変型抗体であって、表1に示す、A4B4L1FR-S28R、A4B4-F52S、AFFF、P12f2、P12f4、P11d4、Ale9、A12a6、A13c4、A17d4、A4B4、A8c7、IX-493L1FR、H3-3F4、M3H9、Y10H6、DG、AFFF(1)、6H8、L1-7E5、L2-15B10、A13a11、A1h5、又はA4B4(1)のVH CDR1、2及び3並びにVL CDR1、2及び3のアミノ酸配列を有する３つの重鎖可変相補性決定領域（VH CDR）及び３つの軽鎖可変CDR（VL CDR）を含み、野生型ヒトIgG Fcドメインに対して１又は複数のアミノ酸置換を含む改変型ヒトIgG Fcドメインを有し、前記アミノ酸置換により、前記アミノ酸置換を有しない野生型抗体と比較して１又は複数のFcレセプターに対する結合アフィニティが変更された改変型抗体が得られる、前記改変型抗体。
【請求項２】
改変型IgG Fcドメインが、カバットに規定されたEU指標により番号付けられた、アミノ酸残基332E、239D及び330Lでのアミノ酸置換を含む、請求項1に記載の改変型抗体。
【請求項３】
１又は複数のアミノ酸置換が、234E、235R、235A、235W、235P、235V、235Y、236E、239D、265L、269S、269G、298I、298T、298F、327N、327G、327W、328S、328V、329H、329Q、330K、330V、330G、330Y、330T、330L、330I、330R、330C、332E、332H、332S、332W、332F、332D、及び332Yからなる群から選択され、付番方式がカバットに規定されたEU指標のものである、請求項1に記載の改変型抗体。
【請求項４】
改変型IgG Fcドメインが、カバットに規定されたEU指標により番号付けられた、アミノ酸残基331S、234F及び235Eでのアミノ酸置換を含む、請求項1に記載の改変型抗体。
【請求項５】
１又は複数のアミノ酸置換が、233P、234V、235A、265A、327G、及び330Sからなる群から選択され、付番方式がカバットに規定されたEU指標のものである、請求項1に記載の改変型抗体。
【請求項６】
改変型IgG Fcドメインが野生型ヒトIgG Fcドメインに対して追加のアミノ酸置換をさらに含み、前記追加のアミノ酸置換により、前記追加のアミノ酸置換を有しない野生型抗体と比較して血清半減期が延長された改変型抗体が得られる、請求項1に記載の改変型抗体。
【請求項７】
前記追加のアミノ酸置換が、アミノ酸残基251、252、254、255、256、308、309、311、312、314、385、386、387、389、428、433、434及び436の１又は複数で起こり、付番方式がカバットに規定されたEU指標のものである、請求項6に記載の改変型抗体。
【請求項８】
前記追加のアミノ酸置換が、251位でのロイシンによる置換、252位でのチロシン、トリプトファン若しくはフェニルアラニンによる置換、254位でのスレオニン若しくはセリンによる置換、255位でのアルギニンによる置換、256位でのグルタミン、アルギニン、セリン、スレオニン、若しくはグルタミン酸による置換、308位でのスレオニンによる置換、309位でのプロリンによる置換、311位でのセリンによる置換、312位でのアスパラギン酸による置換、314位でのロイシンによる置換、385位でのアルギニン、アスパラギン酸若しくはセリンによる置換、386位でのスレオニン若しくはプロリンによる置換、387位でのアルギニン若しくはプロリンによる置換、389位でのプロリン、アスパラギン若しくはセリンによる置換、428位でのメチオニン若しくはスレオニンによる置換、434位でのチロシン若しくはフェニルアラニンによる置換、433位でのヒスチジン、アルギニン、リジン若しくはセリンによる置換、又は436位でのヒスチジン、チロシン、アルギニン若しくはスレオニンによる置換であり、付番方式がカバットに規定されたEU指標のものである、請求項7に記載の改変型抗体。
【請求項９】
前記追加のアミノ酸置換が、252位でのチロシン、254位でのスレオニン及び256位でのグルタミン酸による置換であり、付番方式がカバットに規定されたEU指標のものである、請求項8に記載の改変型抗体。
【請求項１０】
請求項1〜9のいずれか1項に記載の改変型抗体を無菌担体中に含む組成物。
【請求項１１】
RSVに感染したヒト患者を治療するための医薬の製造における、請求項10に記載の組成物の治療有効量の使用。
【請求項１２】
前記改変型抗体が、ウイルス排出により測定される、前記ヒト患者でのRSV複製を、前記改変型抗体の治療のための投与が行われない対照と比較して、少なくとも99％、少なくとも95％、少なくとも90％、少なくとも85％、少なくとも80％、少なくとも75％、少なくとも70％、少なくとも60％、少なくとも50％、少なくとも45％、少なくとも40％、少なくとも45％、少なくとも35％、少なくとも30％、少なくとも25％、少なくとも20％、又は少なくとも10％阻害又は下方制御する、請求項11に記載の使用。
【請求項１３】
前記改変型抗体が、バイオアッセイにより測定される、前記ヒト患者でのサイトカインの血清レベルを、前記改変型抗体の治療のための投与が行われない対照と比較して、約5％、約10％、約15％、約20％、約25％、約30％、約35％、約40％、約45％、約50％、約55％、約60％、約65％、約70％、約75％、約80％、約85％、約90％、約95％、又は約100％減少させる、請求項11に記載の使用。
【請求項１４】
前記改変型抗体が、バイオアッセイにより測定される、前記ヒト患者でのケモカイン放出の血清レベルを、前記改変型抗体の治療のための投与が行われない対照と比較して、約5％、約10％、約15％、約20％、約25％、約30％、約35％、約40％、約45％、約50％、約55％、約60％、約65％、約70％、約75％、約80％、約85％、約90％、約95％、又は約100％減少させる、請求項11に記載の使用。